(57)【要約】      （修正有）【課題】雄ねじ口を備える流動栄養剤容器とテーパ口を有する流動栄養剤容器を選択的に且つ簡便に接続する胃瘻用チューブの提供。【解決手段】胃瘻用チューブ１０は、胃瘻から胃の内部に挿入されるチューブ１２と、該チューブ１２に設けられたコネクタ１４とを有する。コネクタ１４は、樹脂パックのスパウト１０４と螺合する雌ねじボックス３４と、シリンジのテーパ管に嵌合するテーパ部３２とを備える。雌ねじボックス３４とテーパ部３２は同一の流通路に設けられている。雌ねじボックス３４はテーパ部３２よりも開口側に設けられている。テーパ部３２には、キャップ本体４２の環状突起５０ａに係合する環状凹部３２ｂが設けられている。【選択図】図８
0003118198.tif 000002
【実用新案登録請求の範囲】
【請求項１】
体に設けられた瘻部から消化器官の内部に挿入されるチューブと、
前記チューブに接続された筒状のコネクタと、
を有し、
前記コネクタは、雄ねじ口を備える第１の流動栄養剤容器に対して、前記雄ねじ口と螺合する雌ねじ部と、
テーパ口を備える第２の流動栄養剤容器に対して、前記テーパ口と嵌合するテーパ部と、
を有し、
前記雌ねじ部と前記テーパ部は同一の流通路に設けられていることを特徴とする胃瘻用チューブ。
【請求項２】
請求項１記載の胃瘻用チューブにおいて、
さらに、前記コネクタを塞ぐキャップを有することを特徴とする胃瘻用チューブ。
【請求項３】
請求項２記載の胃瘻用チューブにおいて、
前記キャップは、前記テーパ部に挿入される挿入部と、
前記挿入部の外周面に設けられた環状突起と、
を有し、
前記テーパ部には前記環状突起に係合する環状凹部が設けられていることを特徴とする胃瘻用チューブ。
【請求項４】
請求項１〜３のいずれか１項に記載の胃瘻用チューブにおいて、
前記雌ねじ部は前記テーパ部よりも前記コネクタの開口側に設けられていることを特徴とする胃瘻用チューブ。
【請求項５】
請求項４記載の胃瘻用チューブにおいて、
前記テーパ部の端部は、前記雌ねじ部の内部に突出した筒状突起となっていることを特徴とする胃瘻用チューブ。
【請求項６】
請求項１〜５のいずれか１項に記載の胃瘻用チューブにおいて、
前記雌ねじ部は、前記雄ねじ口の端部が当接する着座面を有することを特徴とする胃瘻用チューブ。
【請求項７】
請求項１〜６のいずれか１項に記載の胃瘻用チューブにおいて、
前記コネクタの雌ねじ部の内径は、９〜１３ｍｍであることを特徴とする胃瘻用チューブ。
【請求項８】
請求項１〜７のいずれか１項に記載の胃瘻用チューブにおいて、
前記チューブの内径は、４〜６ｍｍであることを特徴とする胃瘻用チューブ。
【考案の詳細な説明】
【技術分野】
【０００１】
本考案は、体に設けられた瘻部から消化器官の内部に挿入されるチューブと、該チューブに接続された筒状のコネクタと、を有する胃瘻用チューブに関する。
【背景技術】
【０００２】
食べ物を経口摂取することができない患者に対して栄養を供給する方法として経腸栄養法がある。該経腸栄養法は胃瘻、空腸瘻に挿入されたチューブ又は経鼻的に挿入されたチューブを介して消化管内に栄養成分を注入する方法である。このうち、胃瘻を介して栄養を注入する方法は、内視鏡的径皮胃瘻増設術（ＰＥＧ）の開発で胃瘻を設けることが容易となったことから、一層の普及が見込まれている。
【０００３】
胃瘻を介して栄養を注入する方法では、胃瘻に挿入されるチューブと該チューブに接続された筒状のコネクタと、を有する胃瘻用チューブが用いられ、体外のコネクタに流動栄養剤容器を接続し、胃の内部にチューブを介して栄養剤が注入される。このような胃瘻用チューブとして、Ｙ字分岐形状により主ポートと分岐通路とを有する胃瘻用チューブが提案されている（例えば、特許文献１又は特許文献２参照）。
【０００４】
また、胃瘻用チューブのチューブは比較的大径のものを用いることができることから、寒天等により栄養剤を半固形化した高粘度のものを注入することが可能であり、胃食道逆流の発生を抑制することができ、好適である。
【０００５】
一方、近時、キャップ付きの樹脂パックに収納された高粘度の栄養剤が市販されており、室温保存が可能であって、しかも小型で保管スペースも少なくて済むことから、胃瘻用チューブからの栄養注入に用いられつつある。
【０００６】
【特許文献１】特開平３−１８３７８号公報
【特許文献２】実用新案登録第２５６６７５３号公報
【考案の開示】
【考案が解決しようとする課題】
【０００７】
ところで、一般の樹脂パックの口は、キャップが着脱可能な雄ねじ口となっているが、従来の胃瘻用チューブのコネクタはシリンジの接続を想定したテーパ形状となっており、樹脂パックの雄ねじ口をそのまま接続することはできない。したがって、接続用アダプターを用い、又は内容物をシリンジに移し替えてから注入する必要があり、手順が煩雑である。
【０００８】
また、高粘度の栄養剤をシリンジを用いて胃瘻用チューブに注入して押し出す場合にはテーパ接続部に高い圧力が加わることになり、シリンジが外れてしまうことがあり、樹脂パックをそのまま接続できることが望ましい。
【０００９】
一方、胃瘻用チューブには水や液体の薬剤を注入する場合もあり、シリンジも簡便に接続できることが望ましい。
【００１０】
本考案はこのような課題を考慮してなされたものであり、雄ねじ口を備える流動栄養剤容器を簡便に接続することができるとともに高粘度の栄養剤を注入する場合においても容器が外れにくく、しかもシリンジ等のテーパ口を有する流動栄養剤容器も容易に接続することのできる胃瘻用チューブを提供することを目的とする。
【課題を解決するための手段】
【００１１】
本考案に係る胃瘻用チューブは、体に設けられた瘻部から消化器官の内部に挿入されるチューブと、前記チューブに接続された筒状のコネクタとを有し、前記コネクタは、雄ねじ口を備える第１の流動栄養剤容器に対して、前記雄ねじ口と螺合する雌ねじ部と、テーパ口を備える第２の流動栄養剤容器に対して、前記テーパ口と嵌合するテーパ部とを有し、前記雌ねじ部と前記テーパ部は同一の流通路に設けられていることを特徴とする。
【００１２】
このように、コネクタに雄ねじ口と螺合する雌ねじ部を設けることにより、アダプタを用いたりシリンジに移し替えることなく第１の流動栄養剤容器を簡便に接続することができる。また、螺合接続することから、高粘度の栄養剤を注入、押し出す場合においても容器が外れることがない。さらに、コネクタにはテーパ部も設けられていることから、テーパ口を備える第２の流動栄養剤容器も接続が容易である。
【００１３】
なお、流動栄養剤とは広義であって、栄養剤以外にも水、薬剤、食品等を含み、流動可能なものであれば液体、半固体、ゲル体、粒状体、気体等でもよい。
【００１４】
この場合、前記コネクタを塞ぐキャップを有すると、該キャップによりチューブ及びコネクタ内を保護することができ、しかもキャップを紛失することが防止される。
【００１５】
また、前記キャップは、前記テーパ部に挿入される挿入部と、前記挿入部の外周面に設けられた環状突起とを有し、前記テーパ部には前記環状突起に係合する環状凹部が設けられていてもよい。
【００１６】
環状突起と環状凹部が係合することにより、キャップが不用意に抜けることが防止されるとともに、係合部がシール作用を奏する。
【００１７】
一般的に、第１の流動栄養剤容器の雄ねじ口は、第２の流動栄養剤容器のテーパ口よりも大径であることから、対応する前記雌ねじ部は前記テーパ部よりも前記コネクタの開口側に設けるとよい。これにより、前記コネクタは開口側に向かって次第に拡径する形状となりバランスがよく、しかも成型が容易である。
【００１８】
前記テーパ部の端部は、前記雌ねじ部の内部に突出した筒状突起となっていると、該筒状突起が雄ねじ口の内部に挿入され、該雄ねじ口を安定して保持するとともにシール作用を奏し、流動栄養剤の漏出を防止できる。
【００１９】
前記雌ねじ部は、前記雄ねじ口の端部が当接する着座面を有すると、該着座面と雄ねじ部の端部と当接によってシール作用を奏し、流動栄養剤の漏出を一層防止できる。
【００２０】
前記コネクタの雌ねじ部は、９〜１３ｍｍであるとよい。また、前記チューブの内径が４〜６ｍｍであるとよい。
【考案の効果】
【００２１】
本考案に係る胃瘻用チューブによれば、コネクタに雄ねじ口と螺合する雌ねじ部を設けることにより、アダプタを用いたりシリンジに移し替えることなく第１の流動栄養剤容器を簡便に接続することができる。また、螺合接続することから、高粘度の栄養剤を注入、押し出す場合においても容器が外れることがない。さらに、コネクタにはテーパ部も設けられていることから、テーパ口を備える第２の流動栄養剤容器も接続が容易である。
【００２２】
さらにまた、雌ねじ部とテーパ部は同一の流通路に設けられていることにより、分岐のない簡便構造とすることができる。
【考案を実施するための最良の形態】
【００２３】
以下、本考案に係る胃瘻用チューブについて実施の形態を挙げ、添付の図１〜図９を参照しながら説明する。本実施の形態に係る胃瘻用チューブ１０は、後述する樹脂パック１００又はシリンジ２００のいずれか一方を選択的に接続し、胃瘻３００（図７参照）から栄養剤を胃（消化器官）３０２の内部に注入するためのものである。なお、以下の説明では、図１における矢印Ａ１方向を「先端」又は「先端側」とし、矢印Ａ２方向を「後端」又は「後端側」とする。
【００２４】
図１に示すように、胃瘻用チューブ１０は、栄養剤を通すことのできるチューブ１２と、該チューブ１２の後端に設けられたコネクタ１４と、該コネクタ１４に対してストラップ１６ａにより接続されたキャップ１６と、チューブ１２の後端近傍に設けられた液体注入口１８と、チューブ１２の先端近傍に設けられたバルーン２０と、チューブ１２の途中に設けられた係止板２２とを有する。係止板２２よりも前方は、胃瘻３００に挿入される胃瘻形成部２３ａであり、後方は導入部２３ｂとして区別される。胃瘻形成部２３ａと導入部２３ｂはともにチューブ１２の一部であって一体的に形成されている。これにより、粘度の高い栄養剤等を通過させるときにも抵抗が少なくて好適である。胃瘻形成部２３ａと導入部２３ｂは、必ずしも一体形成部である必要はなく、設計条件に応じて適切に形成すればよい。
【００２５】
図２に示すように、チューブ１２は、中央通路２４と、該中央通路２４に沿って延在している細い側方通路２６と、バルーン２０の内側に設けられた小室２８とを有する。チューブ１２は、適度な抗キンク性を有する材質が望ましく、例えば、シリコンゴム、ポリ塩化ビニル、ポリウレタン等を用いることができる。また、チューブ１２は、胃瘻３００から栄養剤を注入するのに必要十分な長さを有しており、不必要に長くないことが望ましい。中央通路２４は、チューブ１２の全長にわたって設けられており、図２中の左側の開口部２４ａと、右側の開口部２４ｂとを有する。開口部２４ｂは、コネクタ１４に接続されている。また、中央通路２４は高粘度の栄養剤を通過させることから抵抗を減らすとともに、適度な流量を確保するするため適度に大きい径を有することが望ましく、具体的には、内径が４ｍｍ（２０Ｆｒ）以上であることが好ましい。さらに、中央通路２４は過度に大径であると胃瘻３００に挿入することが困難であるから、例えば６ｍｍ以下に設定するとよい。
【００２６】
側方通路２６の両端部は小室２８及び液体注入口１８に連通している。バルーン２０は伸縮性が高い材質の弾性体であって、非膨張時には、チューブ１２に巻き付くような筒形状となっており、両側部がチューブ１２に融着されている。
【００２７】
液体注入口１８は側方にやや突出しており、端部に逆止弁１８ａを有する。逆止弁１８ａから注入された液体（水）は、側方通路２６を介して小室２８に流れ込み、内側から加圧することによりバルーン２０を膨張させることができる。胃瘻用チューブ１０は膨張したバルーン２０と係止板２２とにより、胃瘻３００から注入されたチューブ１２を胃３０２に対して固定することができる（図７参照）。また、一度注入された液体は逆止弁１８ａの作用により逆流が防止され、バルーン２０を膨張した状態に維持することができる。このように、胃瘻用チューブ１０はバルーン２０を用いて固定をするバルーン式であるが、固定方式はこれに限らず、例えばバンパー式であってもよい。
【００２８】
図３に示すように、コネクタ１４は筒形状であって、先端側から順に連結筒３０と、テーパ部３２と、雌ねじボックス（雌ねじ部）３４とを有する。これらの連結筒３０、テーパ部３２及び雌ねじボックス３４は同軸状に構成されて、中央通路２４に連通する同一の流通路に設けられており、分岐のない簡便構造となっている。
【００２９】
コネクタ１４の材質はポリエチレン、ポリプロピレン、ポリカーボネート、ポリウレタン、ポリエチレン、ポリプロピレン等が挙げられる。このうち、ポリエチレン、ポリプロピレンは適度な硬さと柔軟性を有することから、樹脂パック１００又はシリンジ２００に対して接続、螺合するのに一層好適である。
【００３０】
連結筒３０は緩やかなテーパ形状であって、開口部２４ｂに挿入された状態で融着又は接着によってチューブ１２に対して固定されている。また、連結筒３０の外面には、抜け止め用の浅い複数の段部３０ａが設けられており、開口部２４ｂに対してより確実に接続される。
【００３１】
テーパ部３２は、連結筒３０に対して段部３０ｂ介してさらに拡径するテーパ形状部であり、テーパ内面３２ａと、該テーパ内面３２ａに設けられた環状凹部３２ｂとを有する。テーパ部３２の長さＬは後述するテーパ管（テーパ口）２０２をテーパ結合するのに適した長さに設定され、具体的には、５〜２０ｍｍ程度が好適であり、例えば１０ｍｍに設定するとよい。
【００３２】
テーパ部３２の後端部における最大径Ｒ２１は、栄養剤の通過が容易なように適度に大径であって、且つ標準的なテーパ管２０２が接合可能なように設定するとよい。具体的には、最大径Ｒ１２は５〜９ｍｍ程度が好適であり、例えば、７．３ｍｍに設定するとよい。
【００３３】
雌ねじボックス３４は筒形状であって、段部３４ａを介してテーパ部３２の端部３２ｃよりもやや後端側部分に接続されている。雌ねじボックス３４は、内面に設けられた雌ねじ３４ｂと、外面の端部近傍に設けられた浅い環状溝３４ｃと、外面に放射状に設けられた複数の補強リブ３４ｄとを有する。
【００３４】
雌ねじボックス３４は、テーパ部３２よりも大径であって、内径Ｒ３は後述するスパウト（雄ねじ口）１０４の外径に対応して設定される。具体的には、一般的なスパウトに対応させるためには内径Ｒ３は９〜１３ｍｍ程度が好適であり、例えば１１ｍｍに設定するとよい。
【００３５】
テーパ部３２の端部３２ｃは段部３４ａよりも雌ねじボックス３４の内部に向かってやや突出しており、筒状突起３９を形成している。筒状突起３９の外面３９ａは、後端に向かって縮径するテーパ形状となっている。
【００３６】
筒状突起３９の外径Ｒ４は、後述するスパウト１０４の内径に対応して設定されており、具体的には、７〜１１ｍｍ程度が好適であり、例えば８．６ｍｍに設定するとよい。筒状突起３９とコネクタ１４の内壁との間には環状凹部（着座面）３２ｄが形成されている。
【００３７】
キャップ１６は、コネクタ１４の環状溝３４ｃに回転可能に係合するリング４０と、キャップ本体４２と、両端がリング４０及びキャップ本体４２に接続されたストラップ１６ａとを有する。キャップ１６の材質は、ポリエチレン及びシリコンゴム等の柔軟な材質が好ましい。
【００３８】
キャップ本体４２は三段の円柱形状であって、先端のプラグ部（挿入部）５０と、中段の筒部５２と、後端のフランジ部５４とを有する。プラグ部５０は、テーパ内面３２ａの後端部と略同径であって、環状凹部３２ｂに係合する環状突起５０ａを有する。筒部５２は、段部５２ａを介してプラグ部５０と接続されており、筒状突起３９の外径Ｒ４よりも大径であって、雌ねじボックス３４の内径Ｒ３よりも小径である。フランジ部５４は薄い円盤形状であって、雌ねじボックス３４の端面３４ｅを覆うことのできる径に設定されている。ストラップ１６ａは、細く柔らかく、キャップ本体４２をコネクタ１４に対して塞ぐのに支障とならない程度の長さを有しており、フランジ部５４に接続されている。ストラップ１６ａによりキャップ本体４２がコネクタ１４から離れることがなく、紛失を防止できる。
【００３９】
図４に示すように、キャップ本体４２をコネクタ１４に挿入することにより、プラグ部５０がテーパ部３２に入り込む。このとき、環状凹部３２ｂと環状突起５０ａが係合し、キャップ本体４２が不用意に抜けることが防止されるとともに、係合部がシール作用を奏する。また、段部５２ａは筒状突起３９の端部３２ｃに対して弾性的に当接することによりシール作用を奏し、チューブ１２及びコネクタ１４の内部を液密に保持、及び保護することができる。さらに、フランジ部５４は端面３４ｅを覆うことから、コネクタ１４の内部を保護することができる。
【００４０】
キャップ本体４２は、フランジ部５４の周囲を把持して押し込むことにより、容易に装着可能である。また、フランジ部５４の周囲を把持して引くことにより容易に取り外し可能である。
【００４１】
次に、胃瘻用チューブ１０のコネクタ１４に接続される流動栄養剤容器について説明する。図５に示すように、第１の流動栄養剤容器としての樹脂パック１００は、栄養剤が収納された樹脂製の袋部１０２と、該袋部１０２の一端部に設けられたスパウト１０４と、該スパウト１０４に装着されているキャップ１０６とを有する。
【００４２】
スパウト１０４は袋部１０２の内部と連通した口栓部であって、複数の補強板１０７が設けられた把持部１０８と、該把持部１０８から突出した筒部１１０と、該筒部１１０の基端側に設けられた雄ねじ部１１２とを有する。
【００４３】
なお、前記の雌ねじ３４ｂ（図３参照）はスパウト１０４の雄ねじ部１１２に螺合可能な形状に構成されている。
【００４４】
また、前記の筒状突起３９（図３参照）の外面３９ａはスパウト１０４の内側に当接可能なテーパ面として形成されており、環状凹部３２ｄは、スパウト１０４の開口端部１０４ａが挿入可能な径に設定されている。
【００４５】
キャップ１０６は、雄ねじ部１１２に螺合することによりスパウト１０４に装着され、袋部１０２を液密に保持する。なお、キャップ１０６は、当初、図示しない脆弱部によって把持部１０８の一部に固定されており、キャップ１０６を回すことにより該脆弱部の一部が折れてキャップ１０６が取り外し可能となる。一度取り外したキャップ１０６は、再装着が可能である。
【００４６】
樹脂パック１００によれば、キャップ１０６を取り外した後、袋部１０２を手又は他の手段によって押圧することにより内部の栄養剤等を注出することができる。また、樹脂パック１００は室温保存が可能であって、しかも小型で保管スペースを無駄なく有効に利用できる。なお、袋部１０２は栄養剤を収納しておくことのできるものであればよく、例えば、樹脂膜にアルミ箔が蒸着されている材質のものであってもよい。樹脂パック１００は、胃瘻用チューブ１０に用いられる専用品に限らず、例えば補助食品として市販されているような汎用品であってもよい。
【００４７】
図６に示すように、第２の流動栄養剤容器としてのシリンジ２００は、先端の細長いテーパ管２０２と、該テーパ管２０２の大径側に接続されているシリンダ２０４と、該シリンダ２０４内で摺動可能なピストン２０６とを有する。シリンジ２００は汎用品である。
【００４８】
ピストン２０６の先端には内部を液密に保つためのシール２０８が設けられ、後端には薄いフランジ２１０が設けられている。シリンダ２０４は透明であって、側面には内容量を示す目盛りが設けられている。
【００４９】
テーパ管２０２の外面は、例えば、１２５±２５／１０００の傾斜のテーパ形状となっている。なお、前記のコネクタ１４におけるテーパ内面３２ａ（図３参照）は、テーパ管２０２の外面と同じテーパ形状に設定されている。また、テーパ内面３２ａの先端側の最小径Ｒ１１は、テーパ管２０２の先端側の最小径Ｒ２１よりも小さく設定されており、テーパ内面３２ａの基端側の最大径Ｒ１２は、テーパ管２０２の基端側の最大径Ｒ２２よりも小さく設定されている。
【００５０】
シリンジ２００によれば、テーパ管２０２を所定の液体等（栄養剤等を含む）に浸した状態でフランジ２１０を把持しながら引くことにより液体、流動体等を吸引することができる。また、シリンジ２００を所定の注入箇所まで移動した後、フランジ２１０を押し出すことにより内部の液体等を注出することができる。
【００５１】
次に、このように構成される胃瘻用チューブ１０に樹脂パック１００又はシリンジ２００を接続して、栄養剤を胃に注入する手順について説明する。
【００５２】
先ず、内視鏡的径皮胃瘻増設術（ＰＥＧ）により、患者の胃３０２に胃瘻３００を設け、胃瘻用チューブ１０の先端を胃瘻３００から挿入する。次に、液体注入口１８から水等を注入することにより、図７に示すように、バルーン２０を膨張させる。これにより、胃瘻用チューブ１０は先端部１０ａが胃３０２の内部に挿入された状態で、膨張したバルーン２０と係止板２２とにより胃瘻３００に固定される。このような内視鏡的径皮胃瘻増設術及び胃瘻用チューブ１０の固定は、初回のみ病院内で医師等によって行われ、以下の手順については、患者自身が院内又は在宅で行うことができる。
【００５３】
次いで、図８に示すように、胃瘻用チューブ１０のキャップ本体４２をコネクタ１４から取り外すとともに、樹脂パック１００のキャップ１０６をスパウト１０４から取り外し、該スパウト１０４をコネクタ１４に接続する。この際、スパウト１０４を時計方向回転させながら雄ねじ部１１２を雌ねじ３４ｂに対して螺合させながら接続を行う。
【００５４】
これにより、コネクタ１４における筒状突起３９の外面３９ａは、スパウト１０４の筒部１１０内に挿入され、該筒部１１０をやや押し広げる方向に押圧しながら当接する。つまり、筒状突起３９がスパウト１０４の内部に挿入されて、該スパウト１０４を安定して保持するとともにシール作用を奏し、チューブ１２の内部を液密に保持することができる。
【００５５】
また、筒部１１０の先端面は環状凹部３２ｄの底部に当接し、螺合するトルクに応じて強く押圧することになり、この部分においてもシール作用を奏する。さらに、環状凹部３２ｄはスパウト１０４が過度に螺合することを制限するストッパとしても作用し、具体的には、雌ねじ３４ｂと雄ねじ部１１２が係合した後、スパウト１０４を略１８０°回転させたときに筒部１１０の先端面が当接するように設定されている。環状凹部３２ｄにスパウト１０４が当接して螺合が制限されるとき、コネクタ１４の端面３４ｅは把持部１０８に対して離間している。
【００５６】
次に、樹脂パック１００の袋部１０２を手又は他の手段で押圧することにより、袋部１０２内に収納された栄養剤を注出する。スパウト１０４から注出された栄養剤は、テーパ内面３２ａ及び連結筒３０の内面によって中央通路２４に対してスムーズに案内され、滞留や逆流はほとんど生じない。栄養剤は中央通路２４を通じて胃３０２に注入される。
【００５７】
このとき、栄養剤が高粘度のものであると袋部１０２から注出するために相当高い圧力を要し、この圧力がスパウト１０４とコネクタ１４との接続部に対しても加圧される。このような場合であっても、雄ねじ部１１２と雌ねじ３４ｂとによる螺合接続がなされていることから、スパウト１０４がコネクタ１４から抜けてしまうことがない。また、前記のシール作用により、栄養剤が漏出することが防止される。栄養剤が高粘度であると胃食道逆流の発生を抑制することができ、好適である。
【００５８】
所定量の栄養剤を注入した後には、スパウト１０４を反時計方向に回転させながら雄ねじ部１１２と雌ねじ３４ｂとの螺合を解除することにより、容易に樹脂パック１００を胃瘻用チューブ１０から取り外すことができる。さらに、樹脂パック１００を取り外した後、キャップ本体４２をコネクタ１４に装着しておく。また、樹脂パック１００内に栄養剤が残存している場合には、必要に応じてキャップ１０６をスパウト１０４に装着して保管する。
【００５９】
次に、胃瘻用チューブ１０にシリンジ２００を接続して水を胃３０２に注入する手順について説明する。先ず、シリンジ２００のフランジ２１０を引き出すことにより、テーパ管２０２からシリンダ２０４内に水を吸入しておく。
【００６０】
次いで、図９に示すように、胃瘻用チューブ１０のキャップ本体４２をコネクタ１４から取り外し、シリンジ２００のテーパ管２０２をコネクタ１４のテーパ内面３２ａに対して適度な力で差し込む。これにより、テーパ管２０２の外面と、テーパ内面３２ａがテーパ面同士で当接して中央通路２４は液密に保持される。
【００６１】
また、テーパ内面３２ａの先端の最小径Ｒ１１は、テーパ管２０２の先端部の最小径Ｒ２１よりも小さく設定されていることから、テーパ管２０２の先端が連結筒３０にまで達してしまうことがなく、テーパ面同士が確実に当接する。
【００６２】
さらに、テーパ内面３２ａの後端の最大径Ｒ１２は、テーパ管２０２の後端部の最大径Ｒ２２よりも小さく設定されており、テーパ管２０２は十分に長い形状であることから、シリンダ２０４の端面が筒状突起３９や雌ねじボックス３４に当たることがなく、テーパ管２０２とテーパ内面３２ａはテーパ面同士が確実に当接する。
【００６３】
さらに、フランジ２１０をシリンダ２０４に対して押し込むことにより、内部の水をテーパ管２０２から注出し、中央通路２４を通じて胃３０２に注入する。テーパ管２０２とテーパ内面３２ａとのテーパ面同士の接続により、水が外部に漏出することがない。
【００６４】
このようにして、患者に対して水等を与えることができるとともに、中央通路２４内に残存する高粘度の栄養剤等を剥離又は溶解させて胃３０２に流し込むことができる。
【００６５】
所定量の水を注入した後には、シリンダ２０４を後方に引き抜くことにより、容易にシリンジ２００を胃瘻用チューブ１０から取り外すことができる。さらに、シリンジ２００を取り外した後、キャップ本体４２をコネクタ１４に装着しておく。
【００６６】
上述したように、本実施の形態に係る胃瘻用チューブ１０によれば、コネクタ１４にテーパ部３２と雌ねじボックス３４とを有していることから、アダプタ等の付け替えをすることなく、樹脂パック１００又はシリンジ２００のいずれか一方を選択的にコネクタ１４に接続することができる。
【００６７】
また、樹脂パック１００のスパウト１０４に対応した雌ねじボックス３４を設けることにより、スパウト１０４を簡便に接続することができる。この場合、樹脂パック１００に収納されている栄養剤が高粘度のものであることにより接続部に圧力が加わっても、雄ねじ部１１２と雌ねじ３４ｂとの螺合接続により、スパウト１０４がコネクタ１４から外れることがない。
【００６８】
さらに、コネクタ１４にはテーパ部３２を設けることにより、注入口としてテーパ管２０２を備えるシリンジ２００に対しても接続が容易である。
【００６９】
さらに、雌ねじボックス３４とテーパ部３２は同一の流通路に設けられていることから、チューブ１２及び中央通路２４を分岐のない簡便構造とすることができるとともに、１つのキャップ１６でコネクタ１４を塞ぐことができる。
【００７０】
一般的に、樹脂パック１００のスパウト１０４は、シリンジ２００のテーパ管２０２よりも大径である。したがって、対応する雌ねじボックス３４はテーパ部３２よりも開口側に設けることにより、コネクタ１４は開口側に向かって次第に拡径する形状となってバランスがよく、しかも成型が容易である。
【００７１】
なお、胃瘻用チューブ１０のコネクタ１４は胃瘻用に限らず、腸等の他の消化器官に設けられた瘻部に固定するチューブに対しても好適に用いられる。胃瘻用チューブ１０によって胃３０２に注入される流動剤は、栄養剤以外にも水、薬剤、食品等であってもよく、流動可能なものであれば液体、半固体、ゲル体、粒状体、気体等でもよい。
【００７２】
本考案に係る胃瘻用チューブは、上述の実施の形態に限らず、本考案の要旨を逸脱することなく、種々の構成を採り得ることはもちろんである。
【図面の簡単な説明】
【００７３】
【図１】本実施の形態に係る胃瘻用チューブの斜視図である。
【図２】本実施の形態に係る胃瘻用チューブの断面側面図である。
【図３】コネクタ及びキャップの断面側面図である。
【図４】キャップが接続された状態のコネクタの断面側面図である。
【図５】樹脂パックの斜視図である。
【図６】シリンジの斜視図である。
【図７】胃瘻に固定された胃瘻用チューブの一部拡大斜視図である。
【図８】樹脂パックのスパウトが接続された状態のコネクタの断面側面図である。
【図９】シリンジのテーパ管が接続された状態のコネクタの断面側面図である。
【符号の説明】
【００７４】
１０…胃瘻用チューブ                  １２…チューブ
１４…コネクタ                        １６…キャップ
２４…中央通路                        ３２…テーパ部
３２ｄ…環状凹部（着座面）            ３４…雌ねじボックス（雌ねじ部）
３４ｂ…雌ねじ                        ３９…筒状突起
５０…プラグ部                        ５０ａ…環状突起
１００…樹脂パック                    １０２…袋部
１０４…スパウト（雄ねじ口）          １１２…雄ねじ部
２００…シリンジ                      ２０２…テーパ管（テーパ口）
３００…胃瘻                          ３０２…胃
【図１】
0003118198.tif 000003
【図２】
0003118198.tif 000004
【図３】
0003118198.tif 000005
【図４】
0003118198.tif 000006
【図５】
0003118198.tif 000007
【図６】
0003118198.tif 000008
【図７】
0003118198.tif 000009
【図８】
0003118198.tif 000010
【図９】
0003118198.tif 000011